(57)【要約】      （修正有） 【課題】滑り止め効果を高めるとともに、家事の負担を軽減できる敷物を提供する。【解決手段】敷物は、表地と裏地２０３を縫製してなり、裏地に滑り止め構造２０４を備える。縫製糸により規則的なキルティング２０５を設け、表地と裏地は、その周縁において、縫合部で縫製され、一体化される。滑り止め構造は、滑り止め面を有する三次元編物構造を含み、三次元編物構造は、表編地と裏編地とを連結糸で連結した構造であり、形態保持性と弾力性を有する構造であり、表編地の通気口２０４ａを除いた領域に滑り止め面を設けている。【選択図】図９
0003227068.tif 000002
【実用新案登録請求の範囲】
【請求項１】
表地と裏地を縫製してなる、敷きパッド、ベッドパッド、又は、敷き布団に用いられ、前記裏地に面状の滑り止め面を有する滑り止め構造を備える敷物。
【請求項２】
前記滑り止め構造は、裏地の面方向に対して、上下方向に空気を通す通気口を有する、二次元又は三次元編物構造を有する請求項１の敷物。
【請求項３】
前記滑り止め構造が前記二次元編物構造を有し、該二次元編物構造の編地が複数の前記通気口を有し、該通気口が間隔をあけて規則的に配設され、該二次元編物構造は、形態保持性と弾力性を有し、前記編地に前記滑り止め面が設けられる請求項２の敷物。
【請求項４】
前記滑り止め構造が前記三次元編物構造を有し、該三次元編物構造は、表編地と裏編地が連結糸で上下に連結した構造であり、該表編地と該裏編地が複数の前記通気口を有し、該通気口が間隔をあけて規則的に配設され、該三次元編物構造は、形態保持性と弾力性を有し、前記表編地に前記滑り止め面が設けられる請求項２の敷物。
【請求項５】
前記通気口が円形、楕円形又は小判形状であり、前記通気口が蜂の巣状に配置されている請求項２〜４のいずれかの敷物。
【請求項６】
前記滑り止め面には、ポリ塩化ビニル、或いは、シリコンを含むコーティング層を有する請求項１〜５のいずれかの敷物。
【請求項７】
前記コーティング層は、滑り止め液の塗布層、滑り止め液の浸漬層又は滑り止め液の噴霧層である請求項６の敷物。  
【考案の詳細な説明】
【技術分野】
【０００１】
本考案は、裏地に滑り止め構造を有する敷物である。
【背景技術】
【０００２】
特許文献１は、シリコーンゴム底部を有する滑り止めカーペットである。滑り止め機能がよく、構造が安定で、安全性が高い滑り止めカーペットを提供する。シリコーンゴム底部を有する滑り止めカーペット１００は、上から順に、糸層１、基布層２、乳剤層３、接合剤層４、不織布層５、及びシリコーンゴム層６を含む。シリコーンゴムを滑り止め材料として利用し、シリコーンゴムは、吸着性が高く、熱安定性がよく、化学的性質が安定で、水と溶剤に不溶で、毒性と匂いがないというメリットを有し、機械強度が比較的高い。
【０００３】
特許文献２は、さまざまな敷物に対応でき、とりわけ敷物の上にもう一枚別の敷物を重ねて敷く場合に、上の敷物がずれるのを確実に防止することのできる敷物の滑り止め材を提供する。基布１の片面側に、張りのある起立繊維２からなる起毛層３を有し、基布１の他方の面に高摩擦部材１２を付着したことを特徴とする。
【０００４】
特許文献３は、家庭用敷物滑り止めシートであり、床に厳密な平滑性を要求せず、家庭における様々な幅広い材料からなる床に、簡単に敷物を止着させることが出来、又、敷物の移動も容易に行えて、且つ、粘着跡が敷物にも床にも残らない家庭用敷物滑り止めシートを提供し、これによって、家庭内での転倒事故を防止し、敷物が常に美観を損なわずに敷設され、掃除も容易に行うことが出来る。
【先行技術文献】
【特許文献】
【０００５】
【特許文献１】実用新案登録第３２１４５８６号公報
【特許文献２】特開２００３−１５９１７２号公報
【特許文献３】特開２００２−２５３４１８号公報
【考案の概要】
【考案が解決しようとする課題】
【０００６】
従来の滑り止め構造は、四隅を係止する弾性ゴム紐を使用したり、起毛層を設けたり、家庭用敷物滑り止めシートを設けているので、ある程度の滑り止め効果はあるものの、家事の負担が増大するおそれがあるか、または、未だ滑り止め効果が十分ではない。
【０００７】
本考案は、滑り止め効果を高めるとともに、家事の負担を軽減することを課題とする。
【課題を解決するための手段】
【０００８】
上記課題に鑑み、請求項１の考案は、表地と裏地を縫製してなる、敷きパッド、ベッドパッド、又は、敷き布団に用いられ、前記裏地に面状の滑り止め面を有する滑り止め構造を備える敷物である。
【０００９】
「敷きパッド」は、人が座る、又は寝るために体の下に敷く、薄く平坦なマット又はクッションである。
【００１０】
「ベッドパッド」は、人が寝るために体の下に敷く、薄く平坦なマット又はクッションである。
【００１１】
「敷き布団」は寝具の一種であり、人が寝るときに、体の下に敷く布団である。
【００１２】
「敷物」とは、人が座るため、又は、寝るため、下に敷くものである。
【００１３】
請求項２の考案は、前記滑り止め構造は、裏地の面方向に対して、上下方向に空気を通す通気口を有する、二次元又は三次元編物構造を有する請求項１の敷物である。滑り止め構造は滑り止め液加工の裏地である。表地は通気性機能があっても、なくても、いずれでも含まれる。
【００１４】
請求項３の考案は、前記滑り止め構造が前記二次元編物構造を有し、該二次元編物構造の編地が複数の前記通気口を有し、該通気口が間隔をあけて規則的に配設され、該二次元編物構造は、形態保持性と弾力性を有し、前記編地に前記滑り止め面が設けられる請求項２の敷物である。「規則的に」は、蜂の巣状、又は格子状等が例示される。
【００１５】
請求項４の考案は、前記滑り止め構造が前記三次元編物構造を有し、該三次元編物構造は、表編地と裏編地が連結糸で上下に連結した構造であり、該表編地と該裏編地が複数の前記通気口を有し、該通気口が間隔をあけて規則的に配設され、該三次元編物構造は、形態保持性と弾力性を有し、前記表編地に前記滑り止め面が設けられる請求項２の敷物である。「規則的に」は、蜂の巣状、又は格子状等が例示される。
【００１６】
請求項５の考案は、前記通気口が円形、楕円形又は小判形状であり、前記通気口が蜂の巣状に配置されている請求項２〜４のいずれかの敷物である。
【００１７】
請求項６の考案は、前記滑り止め面には、ポリ塩化ビニル、或いは、シリコンを含むコーティング層を有する請求項１〜５のいずれかの敷物である。
【００１８】
請求項７の考案は、前記コーティング層は、滑り止め液の塗布層、滑り止め液の浸漬層又は滑り止め液の噴霧層である請求項６の敷物である。（他のコーティング方法により得られる層もある。）
【００１９】
前記裏地が波状または格子状にキルティングされていることが好ましい。
【考案の効果】
【００２０】
請求項１の考案によれば、優れた滑り止め効果を発揮し、家事の負担を軽減することができる。例えば、四隅で係止する弾性ゴム紐による滑り止め構造と比べて、取り付けはすごく簡単であり、子供やペットが汚したときに、すぐに取り外せる。取り付けの手間がなく、時短に役立つ。清潔に使える。
【００２１】
請求項２の考案によれば、前記滑り止め構造は、裏地の面方向に対して、上下方向に空気を通す通気口を有する、二次元又は三次元編物構造を有するので、通気性に優れる。
【００２２】
請求項３の考案によれば、前記滑り止め構造が前記二次元編物構造を有し、該二次元編物構造の編地が複数の前記通気口を有し、該通気口が間隔をあけて規則的に配設され、該二次元編物構造は、形態保持性と弾力性を有し、前記編地に前記滑り止め面が設けられるので、滑りに対する抵抗性を高めることができる。
【００２３】
請求項４の考案によれば、前記滑り止め構造が前記三次元編物構造を有し、該三次元編物構造は、表編地と裏編地が連結糸で上下に連結した構造であり、該表編地と該裏編地が複数の前記通気口を有し、該通気口が間隔をあけて規則的に配設され、該三次元編物構造は、形態保持性と弾力性を有し、前記表編地に前記滑り止め面が設けられるので、表編地と裏編地の通気口を通して敷物の通気性を確保しつつ、当該構造が変形することで、滑り力を吸収し、滑り止め効果を高めることができる。
【００２４】
請求項５の考案によれば、前記通気口が円形、楕円形又は小判形状であり、前記通気口が蜂の巣状に配置されているので、通気口が変形することで、滑り抵抗性を円滑に発揮できる。
【００２５】
請求項６の考案によれば、前記滑り止め面は、ポリ塩化ビニル、或いは、シリコンを含むコーティング層を有するので、滑り止め効果を高めることができる。
【００２６】
請求項７の考案によれば、コーティング層は、滑り止め液の塗布層、浸漬層、又は、噴霧層であるので、一層の滑り止め効果が得られる。
【図面の簡単な説明】
【００２７】
【図１】本考案の実施形態１の敷物の表面図である。
【図２】本考案の実施形態１の敷物の表地の部分拡大図である。
【図３】本考案の実施形態１の敷物の裏地の部分拡大図である。
【図４】本考案の実施形態１の敷物の裏地の端部の部分拡大図である。
【図５】本考案の実施形態２の敷物の表面図である。
【図６】本考案の実施形態２の敷物の表地の部分拡大図である。
【図７】本考案の実施形態２の敷物の裏面図である。
【図８】本考案の実施形態２の敷物の裏地の部分拡大図である。
【図９】本考案の実施形態２の敷物の裏地の端部の部分拡大図である。
【図１０】本考案の実施形態２の敷物の裏地の部分拡大図である。
【図１１】本考案の実施形態３の敷物の表面図である。
【図１２】本考案の実施形態３の敷物の表地の部分拡大図である。
【図１３】本考案の実施形態３の敷物の裏面図である。
【図１４】本考案の実施形態３の敷物の裏地の部分拡大図である。
【図１５】本考案の実施形態３の敷物の裏地の端部の部分拡大図である。
【図１６】本考案の実施形態３の敷物の裏地の部分拡大図である。
【考案を実施するための形態】
【００２８】
本考案の実施形態の敷物について図面を参照し説明する。
【００２９】
上記課題に鑑み、本考案実施形態のベッドパッド１は、図１〜図４に示す通り、表地２と裏地３を縫製してなり、裏地３に滑り止め構造４を備えるものである。縫製糸により規則的な波線をなすキルティング５を設けている。表地２と裏地３は、その周縁において、縫合部６で縫製され、一体化されている。
【００３０】
表地２は毛布地である。
【００３１】
裏地３は布帛である。滑り止め構造４は、ポリ塩化ビニル、或いは、シリコンを含むコーティング層を有する滑り止め面を有する。
【００３２】
より具体的な滑り止め構造４の構造としては、裏地３の布帛の生地に滑り止め液、例えば、ポリ塩化ビニル、或いは、シリコンを含む接着剤、例えば、Sanshin Chemical Co,Ltd. 製品番号SANSHIN MT-004を塗布した滑り止め面を設けた構造が挙げられる。ポリ塩化ビニル或いはシリコンは可塑剤S-68（アセチルクエン酸トリブチル：ＡＴＢＣ）を含む。
【００３３】
以上の通り、本考案の実施形態によれば、敷物の裏地３に滑り止め面を有する滑り止め構造４を有し、裏地３そのものが滑り止め効果を有していることから、弾性ゴム紐や滑り止めシートがなくなることにより、従来の弾性ゴム紐や滑り止めシートによる滑り止めに比べて、良好な滑り止め効果が得られつつ、家事の負担を軽減できる。例えば、弾性ゴム紐による滑り止めと比較して、取り付けはすごく簡単であり、子供やペットが汚したときに、すぐに取り外せる。取り付けの手間がなく、時短に役立つ。清潔に使える。
【００３４】
実施形態２の敷き布団２０１は、基本的には実施形態１と共通ではあるが、裏地２０３の構造が相違するので、図５〜図１０を参照して、相違点を主に説明する。
【００３５】
裏地２０３は、表編地と裏編地の二層の編地と、該二層の編地を連結する連結糸とから構成された三次元編物構造を有し、該三次元編物構造は、形態保持性と弾力性を有する構造である。滑り止め構造２０４は、該三次元編物構造と、該三次元編物構造の表編地に設けた滑り止め面を有する。裏表のいずれの側でも適用できる。
【００３６】
キルティング２０５が規則的な直線状の格子状となっている。
【００３７】
滑り止め面は、ポリ塩化ビニル、或いは、シリコンを含むコーティング層を有する。表編地の通気口２０４ａを除いた領域に滑り止め面を設けている。表編地及び裏編地が、裏地２０３の面方向に対して、上下方向に空気を通す、複数の通気口２０４ａを有する。通気口２０４ａは蜂の巣状に、裏地２０３の辺に対して傾斜して均等に間隔をあけて配列される。通気口２０４ａの穴径は１〜１０ｍｍが好ましい。
【００３８】
三次元編物構造の例としては、第4972080号、第5551890号、第3943011号、第4001890号、第4646821号、特開平10-102363号公報、特開2002-138352号公報、特開平02-74648号公報等に記載されているものが好ましいが、限定されるわけではない。厚みは２ｍｍ〜１２ｍｍが好ましく、さらに３mm〜８mmが好ましい。連結糸の径は０．０５〜０．３ｍｍが好ましい。通気性は５０ｃｃ／ｃｍ２／ｓｅｃ以上、重量１００〜２０００ｇ／ｃｍ２、密度０．０２〜０．２ｇ／ｃｍ３、圧縮弾性率は２０〜２００Ｎ／ｍｍが好ましい。
【００３９】
三次元編物構造は、通常、ダブルラッセル編機、ダブルトリコット編機、ダブル丸編機、Ｖヘッドを有する横編機等で編成される。表裏面二層の編地を構成する糸としてはポリエステル系繊維、ポリエチレン繊維、ポリプロピレン繊維、ポリ塩化ビニル繊維、ポリ塩化ビニリデン繊維などの非吸水性の繊維が用いられる。表裏面二層の編地を連結する連結糸は上記表裏面二層の編地と同じ繊維が使用される。通常圧縮回復率の優れたポリエステル系繊維が用いられる。表裏面二層の編地は、ハニカム状（蜂の巣状）に同一形状の円形、楕円形、小判形、六角形等の通気口が多数に形成されている。このような構成であれば、滑り止め効果を高くすることができる。
【００４０】
三次元編物構造は繊維メーカー各社から商品化されており、例えば、旭化成のFUSION（登録商標）、ユニチカ（株）の「キュービックアイ（登録商標）」、住江織物（株）の「スウィングネット（登録商標）」、旭化成せんい（株）の「フュージョン（登録商標）」などが知られている。本考案では上記各社の三次元編物構造が使用できる。三次元編物構造に代えて二次元編物構造でもよい。裏地２０３が１枚の編地から構成される例が挙げられる。
【００４１】
以上の通り、本考案の実施形態２によれば、敷き布団２０１の裏地２０３の三次元編物構造の表編地の通気口を除いた領域に滑り止め面を備えているので、従来の弾性ゴム紐による滑り止め設計に比べて、家事の負担を軽減できる。滑り止め接着剤を塗布したコーティング層を有するので、良好な滑り止め効果が得られる。
【００４２】
実施形態３の敷きパッド３０１は、基本的には実施形態２と共通ではあるが、裏地の構造が若干相違するので、図１１〜図１６を参照して、相違点を主に説明する。
【００４３】
敷きパッド３０１のキルティング３０５が略格子状で波線である点で異なる。
【００４４】
実施形態３の効果は、実施形態２と同様である。
【００４５】
以上の実施形態は、本考案の実施のための好ましい実施形態の例示である。また、当業者は、本考案の開示に鑑みて、本考案の要旨から離れることなく多数の改良、変更、置換、欠失、追加等が可能である。
【産業上の利用可能性】
【００４６】
本考案は、敷物の滑り止めに利用可能である。
【符号の説明】
【００４７】
１  ベッドパッド
２０１  敷き布団
３０１  敷きパッド
２、２０２、３０２  表地
２０４ａ、３０４ａ  通気口
３、２０３、３０３  裏地
４、２０４、３０４  滑り止め構造
５、２０５、３０５  キルティング
６  縫合部
【図１】
0003227068.tif 000003
【図２】
0003227068.tif 000004
【図３】
0003227068.tif 000005
【図４】
0003227068.tif 000006
【図５】
0003227068.tif 000007
【図６】
0003227068.tif 000008
【図７】
0003227068.tif 000009
【図８】
0003227068.tif 000010
【図９】
0003227068.tif 000011
【図１０】
0003227068.tif 000012
【図１１】
0003227068.tif 000013
【図１２】
0003227068.tif 000014
【図１３】
0003227068.tif 000015
【図１４】
0003227068.tif 000016
【図１５】
0003227068.tif 000017
【図１６】
0003227068.tif 000018